(57)【特許請求の範囲】
【請求項１】
少なくとも移動側メンバーの収納側端部に設けられた引き込み力付加部材と、移動側メンバーの摺動方向に渡って固定側メンバーあるいは固定側部材に設けられた引き込み力受動部材からなる引き込み装置を有するスライドレールにおいて、引き込み力付加部材は、弾発体と、収納側端部に回転ローラーを有する弾性圧接腕より構成され、移動側メンバーの収納側端部に回動自在に取付けられて、引き込み力受動部材に弾性的に圧接する方向に回動力を付与され、引き込み力受動部材は、移動側メンバーの収納時に弾発体による弾性圧接腕の回動力によって、移動側メンバーを最終所定位置まで引き込む引き込み傾斜面が収納側端部に形成され、移動側メンバーの摺動距離とほぼ同等の長さで設けられるとともに、スライドレールの最大伸張時に回転ローラーが落ち込む引出し前端凹部を、引き出し側端部に有することを特徴とするスライドレール。
【請求項２】
少なくとも移動側メンバーの収納側端部に設けられた引き込み力付加部材と、移動側メンバーの摺動方向に渡って固定側メンバーあるいは固定側部材に設けられた引き込み力受動部材からなる引き込み装置を有するスライドレールにおいて、引き込み力付加部材は、弾発体と、収納側端部に回転ローラーを有する弾性圧接腕より構成され、移動側メンバーの収納側端部に回動自在に取付けられて、引き込み力受動部材に弾性的に圧接する方向に回動力を付与され、引き込み力受動部材は、移動側メンバーの収納時に弾発体による弾性圧接腕の回動力によって、移動側メンバーを最終所定位置まで引き込む引き込み傾斜面が収納側端部に形成され、移動側メンバーの摺動距離とほぼ同等の長さで設けられるとともに、上縁面の中央部やや引き出し側よりに、回転ローラーが落ち込む中央凹部を有することを特徴とするスライドレール。
【請求項３】
少なくとも移動側メンバーと、移動側メンバーを摺動自在に保持する移動側支持メンバーよりなり、移動側メンバーの最大伸長状態で、移動側支持メンバーに形成されたストッパー部に移動側メンバーに設けられたロック用レバーがロックされ、移動側メンバーが一旦摺動不能状態となり、ロック用レバーのロック解除によって、移動側メンバーを収納方向に移動可能とし、移動側メンバーが所定位置まで収納された時、最終収納位置まで自動的に引き込まれる引き込み装置を有するスライドレールにおいて、ロック用レバーは移動側メンバーの基板を挿通して外方に突出する操作用連結突片を有し、操作用連結突片と移動側メンバーとともに移動する移動側部材の前面側に設けられたロック解除操作部が連係機構を介して連結され、ロック解除操作部の操作によって、連携機構はロック用レバーをロック解除方向に移動させ、引き込み装置は、少なくとも移動側メンバーの収納側端部に設けられた引き込み力付加部材と、移動側メンバーの摺動方向に渡って固定側メンバーあるいは固定側部材に設けられた引き込み力受動部材からなり、引き込み力付加部材は、弾発体と、収納側端部に回転ローラーを有する弾性圧接腕より構成され、移動側メンバーの収納側端部に回動自在に取付けられて、引き込み力受動部材に弾性的に圧接する方向に回動力を付与され、引き込み力受動部材は、移動側メンバーの収納時に弾発体による弾性圧接腕の回動力によって、移動側メンバーを最終所定位置まで引き込む引き込み傾斜面が収納側端部に形成され、移動側メンバーの摺動距離とほぼ同等の長さで設けられていることを特徴とするスライドレール。
【発明の詳細な説明】
【技術分野】
【０００１】
本発明は、家具等の載置板部、陳列棚等のスライド棚等の移動側部材を、引出し状態（スライド状態）から収納位置（最終所定位置）まで完全に移動させなくても、一定位置まで収納させると、後は家具本体等の固定側部材に自動的に引き込まれると共に、移動側部材を固定側部材に勢いよく移動させた時に生じる移動側部材の跳ね返り、あるいは、運搬時、地震時等に移動側部材が不用意に固定側部材から飛び出すのを防止する引き込み装置を有するスライドレールに関するものである。
【背景技術】
【０００２】
家具本体等の固定側部材に載置板等の移動側部材を収納する時、移動側部材を勢い良く収納すると、収納時の跳ね返りによって、移動側部材が完全に収納されなかったり、あるいは、移動側部材を最初から完全に収納していなかったりする場合があり、家具の運搬時、地震時に不都合が発生する原因となっていた。
この問題を解決するため、移動側部材に取付けられた引き込み力付加部材と、引き込み力付加部材に対応して固定側部材に取付けられた引き込み力受動部材からなり、引き込み力付加部材は、移動側部材が固定側部材に対して最終所定位置に近づいたとき、引き込み力受動部材に一部が弾性的に圧接する圧接機構を有し、引き込み力受動部材は、圧接機構の圧接力を移動側部材を固定側部材に対し最終所定位置となす方向への引き込み力に変化させる案内傾斜面を設けた引き込み装置を有するスライドレールが提供されている。（例えば特許文献１参照。）
【０００３】
この場合、引き込み力受動部材は、引き込み力付加部材と共に移動側メンバーの収納側端部に取付ける構成であるため、移動側メンバーの摺動距離に比較して引き込み力受動部材は極端に短く構成されることとなる。
したがって、引き込み開始位置と引き込み終了位置との距離が短くなり、急激の引き込まれる、あるいは、収納保持された移動側部材を引き出すのに、予測以上の引き出し力を要するなど、好ましい引き込み効果を得ることができなかった。
【０００４】
【特許文献１】特開２００７−１９５７５４号公報
【発明の開示】
【発明が解決しようとする課題】
【０００５】
本発明は、簡単な構造で安価に製作出来、スライドレールの構造に関係なく、移動側部材と固定側部材間に引き込み機能を設ける事が出来、しかも、好ましい収納感覚、引き出し感覚を簡単に得ることができ、又、使用場所に応じた各種保持機能を得ることができるスライドレールを提供することを課題とする。
【課題を解決するための手段】
【０００６】
上記課題を解決する為、本発明が手段とする第１の特徴は、少なくとも移動側メンバーの収納側端部に設けられた引き込み力付加部材と、移動側メンバーの摺動方向に渡って固定側メンバーあるいは固定側部材に設けられた引き込み力受動部材からなる引き込み装置を有するスライドレールにおいて、引き込み力付加部材は、弾発体と、収納側端部に回転ローラーを有する弾性圧接腕より構成され、移動側メンバーの収納側端部に回動自在に取付けられて、引き込み力受動部材に弾性的に圧接する方向に回動力を付与され、引き込み力受動部材は、移動側メンバーの収納時に弾発体による弾性圧接腕の回動力によって、移動側メンバーを最終所定位置まで引き込む引き込み傾斜面が収納側端部に形成され、移動側メンバーの摺動距離とほぼ同等の長さで設けられるとともに、スライドレールの最大伸張時に回転ローラーが落ち込む引出し前端凹部を、引き出し側端部に有するものである。
【０００７】
次に本発明が手段とする第２の特徴は、少なくとも移動側メンバーの収納側端部に設けられた引き込み力付加部材と、移動側メンバーの摺動方向に渡って固定側メンバーあるいは固定側部材に設けられた引き込み力受動部材からなる引き込み装置を有するスライドレールにおいて、引き込み力付加部材は、弾発体と、収納側端部に回転ローラーを有する弾性圧接腕より構成され、移動側メンバーの収納側端部に回動自在に取付けられて、引き込み力受動部材に弾性的に圧接する方向に回動力を付与され、引き込み力受動部材は、移動側メンバーの収納時に弾発体による弾性圧接腕の回動力によって、移動側メンバーを最終所定位置まで引き込む引き込み傾斜面が収納側端部に形成され、移動側メンバーの摺動距離とほぼ同等の長さで設けられるとともに、上縁面の中央部やや引き出し側よりに、回転ローラーが落ち込む中央凹部を有するものである。
【０００８】
次に本発明が手段とする第３の特徴は、少なくとも移動側メンバーと、移動側メンバーを摺動自在に保持する移動側支持メンバーよりなり、移動側メンバーの最大伸長状態で、移動側支持メンバーに形成されたストッパー部に移動側メンバーに設けられたロック用レバーがロックされ、移動側メンバーが一旦摺動不能状態となり、ロック用レバーのロック解除によって、移動側メンバーを収納方向に移動可能とし、移動側メンバーが所定位置まで収納された時、最終収納位置まで自動的に引き込まれる引き込み装置を有するスライドレールにおいて、ロック用レバーは移動側メンバーの基板を挿通して外方に突出する操作用連結突片を有し、操作用連結突片と移動側メンバーとともに移動する移動側部材の前面側に設けられたロック解除操作部が連係機構を介して連結され、ロック解除操作部の操作によって、連携機構はロック用レバーをロック解除方向に移動させ、引き込み装置は、少なくとも移動側メンバーの収納側端部に設けられた引き込み力付加部材と、移動側メンバーの摺動方向に渡って固定側メンバーあるいは固定側部材に設けられた引き込み力受動部材からなり、引き込み力付加部材は、弾発体と、収納側端部に回転ローラーを有する弾性圧接腕より構成され、移動側メンバーの収納側端部に回動自在に取付けられて、引き込み力受動部材に弾性的に圧接する方向に回動力を付与され、引き込み力受動部材は、移動側メンバーの収納時に弾発体による弾性圧接腕の回動力によって、移動側メンバーを最終所定位置まで引き込む引き込み傾斜面が収納側端部に形成され、移動側メンバーの摺動距離とほぼ同等の長さで設けられているものである。
【発明の効果】
【００１０】
請求項１に記載の発明によると、引き込み力受動部材は、移動側メンバーの摺動距離とほぼ同等の長さで設けられているので、移動側メンバーの摺動範囲のどの位置からでも引き込み傾斜面を収納側端部に向かって形成できるので、所望の収納感覚（引き込み感覚）及び引き出し感覚を得ることができると共に、移動側メンバーの収納側端部に引き込み力付加部材と引き込み力受動部材は、スライドレールの摺動とは直接関係しないスライドレールの外部に設けることによって、どのようなスライドレールの形態であっても使用することができる。さらに、引き込み力受動部材は、スライドレールの最大伸張時に回転ローラーが落ち込む引出し前端凹部を、引き出し側端部に設けているので、引き込み機能に加え、簡単な構造で引き出し時保持機能も兼用することができる。
【００１２】
請求項２に記載の発明によると、引き込み力受動部材は、移動側メンバーの摺動距離とほぼ同等の長さで設けられているので、移動側メンバーの摺動範囲のどの位置からでも引き込み傾斜面を収納側端部に向かって形成できるので、所望の収納感覚（引き込み感覚）及び引き出し感覚を得ることができると共に、移動側メンバーの収納側端部に引き込み力付加部材と引き込み力受動部材は、スライドレールの摺動とは直接関係しないスライドレールの外部に設けることによって、どのようなスライドレールの形態であっても使用することができる。さらに、上縁面の中央部やや引き出し側よりに、回転ローラーが落ち込む中央凹部を設けているので、収納途中あるいは引き出し途中において、移動側部材を所定の力で保持した状態で使用できるだけでなく、摺動途中で、一旦、移動側部材が停止状態となることによって、移動側部材上に載置された物品の蓋が開放されたままであったり、必要ないものが収納されようとしていること等を、使用者に感知させる機会を与えることができる。
【００１３】
請求項３に記載の発明によると、請求項１に記載の効果に加え、ロック用レバーは移動側メンバーの基板を挿通して外方に突出する操作用連結突片を有し、ロック解除操作部が連係機構を介して連操作用連結突片に連結されているので、ロック解除操作部を、ロック用レバーからはなれた移動側部材の前面側に設けることができ、操作が安全かつ容易である。
【発明を実施するための最良の形態】
【００１４】
少なくとも移動側メンバーと、移動側メンバーを摺動自在に保持する移動側支持メンバーよりなり、移動側メンバーの最大伸長状態で、移動側支持メンバーに形成されたストッパー部に移動側メンバーに設けられたロック用レバーがロックされ、移動側メンバーが一旦摺動不能状態となり、ロック用レバーのロック解除によって、移動側メンバーを収納方向に移動可能とし、移動側メンバーが所定位置まで収納された時、最終収納位置まで自動的に引き込まれる引き込み装置を有するスライドレールにおいて、ロック用レバーは移動側メンバーの基板を挿通して外方に突出する操作用連結突片を有し、操作用連結突片と移動側メンバーとともに移動する移動側部材の前面側に設けられたロック解除操作部が連係機構を介して連結され、ロック解除操作部の操作によって、連携機構はロック用レバーをロック解除方向に移動させ、引き込み装置は、少なくとも移動側メンバーの収納側端部に設けられた引き込み力付加部材と、移動側メンバーの摺動方向に渡って固定側メンバーあるいは固定側部材に設けられた引き込み力受動部材からなり、引き込み力付加部材は、弾発体と、収納側端部に回転ローラーを有する弾性圧接腕より構成され、移動側メンバーの収納側端部に回動自在に取付けられて、引き込み力受動部材に弾性的に圧接する方向に回動力を付与され、引き込み力受動部材は、移動側メンバーの収納時に弾発体による弾性圧接腕の回動力によって、移動側メンバーを最終所定位置まで引き込む引き込み傾斜面が収納側端部に形成され、移動側メンバーの摺動距離とほぼ同等の長さで設けられているものである。  
【実施例】
【００１５】
以下、本発明の実施例を図面に基づいて説明する。
図１から図４において、符号１００、１００は、左右のスライドレールを示し、左右のスライドレール１００、１００は、対向した同形に形成されて、固定側部材２００（実施例では、炊飯器等の収納体２０１の所定高さ位置に固定された固定棚）に固定側連結座２０２、２０２を介して連結され、移動側部材２０３（本実施例では炊飯器の載置棚）に移動側連結座２０４、２０４を介して連結され、左右のスライドレール１００、１００間に配設された連係機構７６にて、左右のスライドレール１００、１００は同時に操作可能で、それぞれのスライドレール１００、１００に設けられた引き込み装置（図４に示す。）によって、摺動途中から収納側に自動的に引き込まれ、収納状態が保持される。
そして、左右のスライドレール１００、１００は対向して同形に構成されているので、一方側についてのみ説明すると、スライドレール１００は、固定側連結座２０２を介して機器類等の本体側に連結される固定側メンバー１と、中間メンバー３と、移動側メンバー５と、中間メンバー３と固定側メンバー１間に配設されるボールリテーナー２と、中間メンバー３と移動側メンバー５間に配設されるボールリテーナー４より構成されている。
【００１６】
固定側メンバー１は、帯状金属板の上下端部を外向き円弧状に彎曲せしめて、内面長手方向にボール案内溝が形成された上下の折曲縁１１、１１と基板１２より断面略Ｃ字形に形成されている。
そして、基板１２の前後端部を移動側メンバー５側に突出せしめて、ボールリテーナー２、中間メンバー３の摺動範囲を規制する中間メンバー前ストッパー（図示せず。）、中間メンバー後ストッパー１３を形成している。
そして、基板１２の摺動方向所定位置には、固定側メンバー１と固定側連結座２０２を連結するための連結孔が形成され、上下の折曲縁１１、１１の摺動方向略中間部には後記する回動ロック片７の係止部１５、１５が係止されている。
【００１７】
中間メンバー３は、内メンバー３１と外メンバー３２（図１４に示す。）より構成されている。
内メンバー３１は、固定側メンバー１の約２分の１程度の長さで、固定側メンバー１に挿入可能な大きさに、帯状金属板の上下端部を内向き円弧状に彎曲せしめて、外面長手方向にボール案内溝が形成された上下の折曲縁３１１、３１１（図１１に示す。）と、基板３１２より断面略Ｃ字形に形成されている。
そして、中間メンバー３の最大伸長状態で、中間メンバー前ストッパー（図示せず。）に前端が当接したボールリテーナー２の後端に当接する内メンバー後ストッパー３１３（図１０に示す。）が、基板３１２の後端部を固定側メンバー１側に突出せしめて形成されている。
【００１８】
外メンバー３２は、固定側メンバー１とほぼ同長で、帯状金属板の上下端部を外向き円弧状に彎曲せしめて、内面長手方向にボール案内溝が形成された上下の折曲縁３２１、３２１（図１１に示す。）と基板３２２より、固定側メンバー１と断面同形の略Ｃ字形に形成されている。
そして、基板３２２の後端部を固定側メンバー１側に突出せしめて、固定側メンバー１に収納された時、中間メンバー後ストッパー１３に当接する外メンバー後ストッパー３２３（図１０に示す。）が形成され、外メンバー後ストッパー３２３の所定寸法前側に、後記する回動ロック片７の後端部が嵌挿する回動範囲規制孔７００（図示１１に示す。）が形成され、回動ロック片７の取付け位置の所定寸法前方に、移動側メンバー５側に突出するリテーナーストッパー３２４（図１０に示す。）が形成されている。
【００１９】
一方、基板３２２の前端部には、移動側メンバー５側に突出するストッパー部９３を前端中央部内面に有する案内部材９が設けられ、基板３２２の後端部には後部が回動規制孔７００を嵌挿する回動ロック片７が回動自在に設けられ、基板３１２、３２２同士を固着して、中間メンバー３は構成されている。
【００２０】
移動側メンバー５は、固定側メンバー１とほぼ同長で、金属製の細長条板の短手両端部を内向き円弧状に折り曲げて形成された外面長手方向（摺動方向）にボール案内溝を有する上下の折曲縁５１、５１（図１１に示す。）と、基板５２より、断面略Ｃ字形に形成されている。  符号５４・・・（図４に示す。）は、移動側部材２０３と連結される移動側連結座２０４の連結孔を示している。
【００２１】
そして、移動側メンバー５が、中間メンバー３の外メンバー３２内に完全に収納された時、基板３２２の前端部に設けられた案内部材９の一部に当接して、移動側メンバー５の収納方向への摺動を停止せしめる移動側メンバーストッパー５３、５３（図４に示す。）が、両折曲縁５１、５１の前端部に外方に突出して形成されている。
さらに、移動側メンバー５が中間メンバー３に対し、最大伸長状態となった時、基板３２２の前端部に設けられた案内部材９のストッパー部９３に係合して、移動側メンバー５の引出し方向への摺動を停止せしめるロック用レバー６が、基板５２の中程に設けられている。
そして、ロック用レバー６とストッパー部９３の係合状態を解除する事で移動側メンバー５は、中間メンバー３から抜き出し、および、収納可能となる。
【００２２】
ボールリテーナー２（図１４に示す。）は、固定側メンバー１の半分程度の長さの金属製の細長条板の短手両端部を、固定側メンバー１の上下の折曲縁１１、１１と中間メンバー３（内メンバー３１）の上下の折曲縁３１１、３１１間に突出せしめたＬ字形の折曲片２１、２１と、折曲片２１、２１間に略コ字形に形成された基板２２より構成され、折曲片２１、２１の長手方向にボール２０・・・を回転自在に保持している。
そして、中間メンバー３の最大伸長状態で、ボールリテーナー２の基板２２の前端部は、固定側メンバー１の中間メンバー前ストッパー（図示せず。）の内面に当接し、基板２２の後端には中間メンバー３（内メンバー３１）の内メンバー後ストッパー３１３が当接する。
【００２３】
ボールリテーナー４（図１４に示す。）は、移動側メンバー５の半分程度の長さの金属製の細長条板の短手両端部を、移動側メンバー５の上下の折曲縁５１、５１と中間メンバー３（外メンバー３２）の上下の折曲縁３２１、３２１間に突出せしめたＬ字形の折曲片４１、４１と、折曲片４１、４１間に略コ字形に形成された基板４２より構成され、折曲片４１、４１の長手方向にボール４０・・・を回転自在に保持している。
そして、移動側メンバー５の最大伸長状態で、ボールリテーナー４の基板４２の前端部は、中間メンバー３（外メンバー３２）の案内部材９の一部に当接する。
又、抜き出された移動側メンバー５が挿着されるとき、不測にボールリテーナー４が不測に収納側に移動して回動ロック片７に接触しないよう、基板４２の後端部が当接するリテーナーストッパー３２４が中間メンバー３（外メンバー３２）に形成されている。
【００２４】
回動ロック片７は、前端部に取付孔を有する取付基板７１と、取付基板７１の上下端部に形成された、移動側メンバー５の基板５２方向に突出し、後方に向かって互いの間隔が広がる（移動側メンバー５の上下の折曲縁５１、５１方向に傾斜する）よう傾斜したロック解除案内突片７２、７２と、取付基板７１の後端上下端部に形成され、回動範囲規制孔７００を貫通し、固定側メンバー１の基板１２方向に突出する姿勢維持突片７３、７３と、姿勢維持突片７３、７３の固定側メンバー１の基板１２側の端部から固定側メンバー１の上下の折曲縁１１、１１方向に突出するロック用突片７４、７４より構成され、連結ピンにて中間メンバー３の後部所定位置に回動自在に連結されている。
【００２５】
尚、ロック解除案内突片７２、７２と姿勢維持突片７３、７３と、ロック用突片７４、７４と、ロック用突片７４、７４に対応する固定側メンバー１の係止部１５、１５が上下に対称的に設けられているのは、スライドレールを左右兼用として使用する為である。
又、上記姿勢維持突片７３、７３は固定側メンバー１の基板１２方向に向かって互いの間隔が広がるよう傾斜しており（固定側メンバー１の基板１２方向で、固定側メンバー１の折曲縁１１、１１側に傾斜する）、下方の姿勢維持突片７３が回動範囲規制孔７００の下端縁に当接した状態で、回動ロック片７の自重が、ロック用突片７４、７４が常に固定側メンバー１の基板１２方向に移動するよう負荷されるので、ロック用突片７４は確実に係止部１５に係止する。
尚、ロック回動片７、係止部１５、中間メンバー３、移動側メンバー５は、出願人が先に出願した特開２００３−３１０３６９号公報に記載されたロック回動片、係止部、中間メンバー、移動側メンバーと同様に構成され、同じ様に作用するので詳細な説明は省く。
【００２６】
中間メンバー３の外メンバー３２の前端部に取付けられる案内部材９は、図９、図１２に示すように、外メンバー３２の基板３２２の前端部に形成された嵌合孔９０に嵌合する嵌合突部９０１を有する取付基板９１と、移動側メンバー５と外メンバー３２の上下のボール摺動溝間に位置する案内突部（図示せず。）と、移動側メンバー５のロック用レバー６に対応して取付基板９１の前部から、移動側メンバー５方向で、且つ、前方に突出するストッパー部９３と、取付基板９１の後端部に位置するリテーナー保持部９４より、合成樹脂材にて一体に形成されている。
【００２７】
取付基板９１は、ロック用レバー６とストッパー部９３の係合が支障なく行えるよう、ストッパー部９３の所定位置後方から、収納方向に順次厚みが大きくなる、案内傾斜部９１１を有し、案内傾斜部９１１の後端に前記リテーナー保持部９４が収納方向に突出して形成されている。
【００２８】
ロック用レバー６は、図９、図１２に示すように、連結基板６１と、弾性変移部６２と、弾性変移部６２の前端に連設された先端変移部６３と、先端変移部６３の内面側から移動側メンバー５の基板５２に形成された逃がし孔６３１を挿通して外方に突出する操作用連結突片６４により合成樹脂材にて一体に形成され、弾性変移部６２と連結基板６１の連続部に弾性用凹条６１０が形成されている。
そして、連結基板６１の上下端部には、移動側メンバー５の各折曲縁５１、５１と基板５２の角部内面側に嵌入する嵌入突縁（図示せず。）が形成され、中央部には、嵌合孔６０１が形成され、移動側メンバー５には、取り付け状態のロック用レバー６が移動側メンバー５の摺動方向に移動するのを防止するよう、嵌合孔６０１に嵌合する嵌合突部５８と移動規制突部５７が形成されている。
【００２９】
又、移動側メンバー５が外メンバー３２に対して所定位置まで引き出された時に、移動側メンバー５を停止させるため、ストッパー部９３に係合するストッパー孔６２１が、弾性変移部６２に形成されている。
先端偏移部６３は、移動側メンバー５の摺動時、ボールリテーナー４の基板４２の内面、及び、案内部材９の案内傾斜部９１１、リテーナー保持部９４の内面等に接触するので、基板５２側に彎曲せしめた形状に形成されている。
尚、案内部材９、及び操作用連結突片６４がない状態のロック用レバー６は、出願人が先に出願した特開２００３−３２５２６号公報に記載された案内部材、ストッパー部材と同様に構成され、同様に作用するので詳細な説明は省く。
【００３０】
一方、左右のスライドレール１００、１００間に配設され、左右同時に左右のロック用レバー６、６を操作する連係機構７６は、端部が操作用連結突片６４、６４に回動自在に連結される左右の操作用リンク７６１、７６２と、左右の操作用リンク７６１、７６２の他端を回動自在に連結するリンク連結部７７と、移動側部材２０３の左右方向中央部の前端部分に臨んでロック解除操作部７８が設けられ、後端部に前記リンク連結部７７が設けられ、移動側部材２０３の裏面に連結された前後保持座７９１、７９２に移動側メンバー５の摺動方向に移動自在に保持された操作杆７９より構成されている。  
【００３１】
前後保持座７９１、７９２は同形に形成され、操作杆７９を移動側メンバー５の摺動方向に移動自在に保持する前後挿通保持部７９３、７９４と、前後挿通保持部７９３、７９４の上端から左右方向に突出し、移動側部材２３の裏面にネジ止め連結される連結孔が形成された前左右連結用突片７９５、７９６と、後左右連結用突片７９７、７９８より合成樹脂材にて一体に形成されている。
【００３２】
リンク連結部７７は、操作杆７９の後端部に連結保持される操作杆連結部７７１と、操作杆連結部７７１より左右方向に突出し、左右の操作用リンク７６１、７６２が回動自在に連結される左右リンク連結用突片７７２、７７３より合成樹脂材にて一体に形成されている。
そして、移動側メンバー５の最大伸長状態で、左右の操作用リンク７６１、７６２と、左右の操作用連結突片６４、６４の連結部分が、左右の操作用リンク７６１、７６２とリンク連結部７７の連結部より前側に位置するようそれぞれが回動自在に連結される。
【００３３】
したがって、ロック解除部７８が移動側メンバー５の収納方向に押し込まれて、操作杆７９を介してリンク連結部７７が移動側メンバー５の収納方向に移動すると、左右の操作用連結突片６４、６４とリンク連結部７７との間隔が離れようとするので、左右の操作用リンク７６１、７６２によって、左右の操作用連結突片６４、６４は互いに近づく方向に引き寄せられ、左右のロック用レバー６、６はロック解除姿勢となり、ロック解除部７８が移動側メンバー５の収納方向に押し込まれているので、同時に、移動側メンバー５は収納方向に移動し、やがて、回動ロック片７の係止状態を解除し、移動側メンバー１内に中間メンバー３、移動側メンバー５が収納され最短収縮状態（移動側部材２０３が収納体２０１に収納された状態）となる。
すなわち、移動側部材２０３の前端中央部で、ロック解除部７８を指先で操作するだけで、移動側部材２０３（移動側メンバー５）を収納方向に移動する事ができる。
【００３４】
引き込み装置は、図１５〜図１７に示す如く、移動側メンバー５の収納側端部の基板５２に取付けられる引き込み力付加部材８１と、固定側部材２００の固定側連結座２０２に取付けられる引き込み力受動部材８２より構成されている。
引き込み力付加部材８１は、弾発体８１１と、弾発体８１１によって所定方向に回動力を付与された弾性圧接腕８１２より構成されている。
【００３５】
弾性圧接腕８１２は、スライドレール１００の厚み方向に扁平で引き出し方向に長い棒状の合成樹脂材より形成され、引き出し側端部が枢軸８１３にて移動側メンバー５の収納側端部の基板５２に回動自在に設けられ、収納側端部には、引き込み力受動部材８２の上縁面８２０に弾性的に圧接しながら回転する回転ローラー８１４が回転自在に取付けられている。
【００３６】
弾発体８１１は線状のバネ材より形成され、前記枢軸８１３の下端面より上方に位置して移動側レール５の基板５２に形成された係止孔８１０に嵌入係止し、中央部の引き出し側が枢軸８１３の下面に弾性的に圧接し、やや弓なりとなった状態で、収納側端部が弾性圧接腕８１２の収納側端部上面に形成された係止凹部８１５に嵌合係止している。
すなわち、弾発体８１１は、弾性圧接腕８１２の回転ローラー８１４が、引き込み力受動部材８２の上縁面８２０に、常に弾性的に圧接するよう、弾性圧接腕８１２に回動力を付与している。
【００３７】
引き込み力受動部材８２は、引き出し側端部が固定側メンバー１の引き出し側端部とほぼ同じ位置で、収納側端部が固定側メンバー１の収納側端部より後方に突出する長さで合成樹脂材より形成され、固定側連結座２０２の上面に移動側メンバーの摺動方向に渡って設けられている。
そして、上縁面８２０の引き出し側端部に、回転ローラー８１４の下３分の１程度が嵌入する、４分の１円形の引出し前端凹部８２１が形成され、上縁面８２０の中央部やや引き出し側よりに、回転ローラー８１４の下３分の１程度が嵌入する、略半円形の中央凹部８２２が形成され、固定側メンバー１の収納側端部より後方に突出する部分（上縁面８２０の収納側端部の後方）に、収納方向で下方に傾斜する引き込み傾斜面８２３が上縁面８２０の連続して形成されている。
【００３８】
本発明は上記のように構成され、スライドレール１００が最も縮小した状態、すなわち、移動側部材２０３が収納体２０１に収納された状態で、引き込み力付加部材８１の弾性圧接腕８１２の回転ローラー８１４が引き込み傾斜面８２３の収納側端部に位置し、この状態で、弾性圧接腕８１２は弾発体８１１によって図１７で時計廻りの方向に回動力を付与されているので、移動側部材２０３（引き込み力付加部材８１、すなわち移動側メンバー５）は収納体２０１（引き込み力受動部材８２）に所定の保持力で保持された状態を維持する。
そして、この保持力の抗して移動側メンバー５（移動側部材２０３）が引き出されると、中間メンバー３の外メンバー３２に対し、移動側メンバー５が摺動し、同時に、弾性圧接腕８１２は弾発体８１１の弾発力に抗して図１７で反時計廻りの方向に回動しながら引き出し側に移動し、回転ローラー８１４は引き込み傾斜面８２３から上縁面８２０を移動する。
【００３９】
次に、移動側メンバー５の折曲縁５１の後端部が、回動ロック片７より前方に位置した時、回動ロック片７のロック用突片７４は、やや下方に変移して、固定側メンバー１の折曲縁１１内面に接触した状態となり、移動側メンバー５の引き出し方向への摺動にともなって、回転ローラー８１４は、上縁面８２０を移動し、やがて中央凹部８２２に落ち込む、
そして、中央凹部８２２から回転ローラー８１４が抜け出す為の引き出し力は、回転ローラー８１４が上縁面８２０を移動しているときの引き出し力より強めの引出し力が瞬間的に必要となる。
すなわち、引き出し力の変化によって引き出し終了位置が間近であることを使用者に感知させることが可能となる。
あるいは、中央凹部８２２に回転ローラー８１４が落ち込んだ状態で、移動側部材２０３は所定の保持力で保持されるから、必要に応じて引き出し途中であっても安全に使用することが可能である。
【００４０】
さらに、中央凹部８２２から回転ローラー８１４を引き出して、移動側メンバー５を摺動させると、やがて、移動側メンバー５の中程に設けられたロック用レバー６の先端変移部６３が中間メンバー３（外メンバー３２）の案内部材９を通過して前方に突出しながら弾性によって中間メンバー３（外メンバー３２）の基板３２２の方向に移動して、ストッパー孔６２１がストッパー部９３に係合して、移動側メンバー５の中間メンバー３に対する移動は停止し（図９に示す状態。）、移動側メンバー５は中間メンバー３（移動側支持メンバー）にロックされた状態となる。
【００４１】
次に、固定側メンバー１に対し中間メンバー３（内メンバー３１）が摺動すると、ロック用突片７４が固定側メンバー１の折曲縁１１の内面に接触しながら中間メンバー３と共に摺動し、やがて、係止部１５にロック用突片７４が自重によって係止し（この時、下方の姿勢維持突片７３が回動範囲規制孔７００の下端縁に当接するので、必要以上に下方に回動する事はなく、又、回動ロック片７の自重により、ロック用突片７４、７４は確実に係止部１５に係止する。図１０、図１１に示す状態。）、同時に、ボールリテーナー２の基板２２の前端部は、固定側メンバー１の中間メンバー前ストッパー（図示せず。）に当接し、中間メンバー３の内メンバー後ストッパー３１３がボールリテーナー２の後端に当接して、固定側メンバー１に対する中間メンバー３の摺動が停止する。
これと同時に、弾性圧接腕８１２の回転ローラー８１４が引き込み力受動部材８２の上縁面８２０の前端部に形成された引き出し前端凹部８２１に落ち込み、スライドレール１００は最大伸長状態が維持される。（図１５に示す状態）
【００４２】
例えばこの状態で、移動側部材２０３あるいは移動側部材２０３に載置された物品に収納方向への力を不測に負荷したとしても、移動側部材２０３は収納方向へもあるいは引き出し方向へも移動することがなので、気遣いなく作業を行う事ができ、非常に使い勝手がよい。
又、従来、ロック解除レバー６が移動側メンバー５の摺動方向中央部側方に設けられ、スライドレール１００、１００が引き出された状態では、ロック解除レバー６を移動側メンバー５の双方から操作しなければならなかった。
そのため、移動側メンバー５の側方を隠蔽することができず、移動側メンバー５、５の側面側が露出して収納体２０１等の美観を損なったり、又、移動側メンバー５、５の摺動を円滑に行う為に塗られたグリース等の潤滑油が不測に衣服等に付着するなどの問題が、あったが、ロック解除操作部７８を移動側部材の前面側に設けたので、図１８に示すように、移動側部材２０３の左右端部に下方に突出して移動メンバー５、５を側方から隠蔽する隠蔽部材２０６、２０６を取付けて使用することもできる。さらに、移動側部材２０３の左右幅に関係なく使用することができる。
【００４３】
次に、ロック解除部７８を移動側メンバー５の収納方向に押して、ロック用レバー６とストッパー部９３との係合状態を解除する。  この状態では、回転ローラー８１４が、引き出し前端凹部８２１に落ち込みんだ状態であるので、不測に収納方向に移動することはない。
そして、ロック解除部７８を操作した状態で、やや強めに押し込むと、回転ローラー８１４は弾発体８１１の弾発力に抗して、引き出し前端凹部８２１を乗り上げ、上縁面８２０上を収納方向に移動する。
【００４４】
次に、上縁面８２０上を収納方向に移動する回転ローラー８１４が中央凹部８２２に落ち込む（図１６に示す状態。）と、中央凹部８２２から回転ローラー８１４が抜け出す為の押し込み力は、回転ローラー８１４が上縁面８２０を移動しているときの押し込み力より強い押し込み力が瞬間的に必要となる。
すなわち、一旦移動側部材２０３が停止状態となることによって、移動側部材２０３上に載置された物品の蓋が開放されたままであったり、必要ないものが収納されようとしていること等を、使用者に感知させる機会を与えることとなる。
【００４５】
又、中央凹部８２２に回転ローラー８１４が落ち込んだ状態で、移動側部材２０３は所定の保持力で保持されるから、必要に応じて収納途中であっても安全に使用することが可能である。
そして、やや強く押し込むと、回転ローラー８１４は弾発体８１１の弾発力に抗して、中央凹部８２２を乗り上げ、上縁面８２０上を収納方向に移動する。
そして、移動側メンバー５が収納されていくと、移動側メンバー５の下側の折曲縁５１の後端が、回動ロック片７の下側のロック解除案内突片７２に接触しながら回動ロック片７を上方に回動させ、ロック用突片７４を係止部１５から逸脱させて、中間メンバー３と固定側メンバー１のロック状態を解除し（図１３、図１４に示す状態。）、次に、下側の折曲縁５１が、ロック解除案内突片７２の下側に位置することで、ロック解除状態を維持した状態で、移動側メンバーストッパー５３、５３が案内部材９の一部に当接して、移動側メンバー５が中間メンバー３に収納され、次に、移動側メンバー５と中間メンバー３は、固定側メンバー１に対し摺動し、回転ローラー８１４が上縁面８２０の収納側端部から引き込み傾斜面８２３の引き出し側端部に位置すると、弾性圧接腕８１２の弾発体による時計廻りの方向の回動力によって、移動側メンバー５と中間メンバー３は固定側メンバー１に対して最終所定位置まで引き込まれ、固定側メンバー１の中間メンバー後ストッパー１３の内面（中間メンバー後ストッパー１３の内面に設けられた緩衝材）に、中間メンバー３の外メンバー後ストッパー３２３が当接して停止し、スライドレール１００が最も縮小した状態となり、所定の保持力で保持される。（図１７に示す状態。）
【００４６】
なお、引込開始位置は、弾性圧接腕８１２の長さを選択する以外に、引き込み力受動部材８２の引き込み傾斜面８２３の長さを選択ことによっても選択可能である。すなわち、引き込み傾斜面８２３の長さを長くすれば、引き込み開始位置はより引き出し側となり、引き込み傾斜面８２３の長さを短くすれば、引き込み開始位置はより収納側となる。
そして、弾発力の異なった弾発体８１１を選択することにより、引き込み力の強さを選択でき、また、引き込み傾斜面８２３の傾斜角度をかえることにより引き込みスピードの選択が出来る。
【図面の簡単な説明】
【００４７】
【図１】本発明の使用状態を示す斜視図
【図２】移動側部材を取外した状態の図１に対応する斜視図
【図３】左右のスライドレールと連係機構を示す斜視図
【図４】本発明のスライドレールの斜視図
【図５】図４のＡ部拡大図
【図６】図４のＢ部拡大図
【図７】図３のＤ部拡大図
【図８】図３のＥ部拡大図
【図９】ロック用レバーとストッパー部のロック状態の関係のみを示す要部断面図
【図１０】回動ロック片と固定側メンバーの係合状態の関係のみを示す要部正面図
【図１１】図１０のＦ−Ｆ部断面図
【図１２】ロック用レバーとストッパー部のロック状態が解除された状態の関係のみを示す要部正面図
【図１３】回動ロック片と固定側メンバーの係合状態が解除された状態の関係のみを示す要部正面図
【図１４】図１４のＧ−Ｇ部断面図
【図１５】移動側レールが引き出された状態を示す要部正面図
【図１６】移動側レールが摺動途中で保持された状態を示す要部正面図
【図１７】移動側レールが最も引き込まれた状態を示す要部正面図
【図１８】本発明の他の使用状態を示す斜視図
【符号の説明】
【００４８】
１              固定側ーメンバー
１１、１１      上下両折曲縁
１５            係止孔
１００          スライドレール
３              中間メンバー
５              移動側メンバー
６              ロック用レバー    
６４            操作用連結突片        
７６            連係機構
７６１          左の操作用リンク
７６２          右の操作用リンク
７７            リンク連結部
７８            ロック解除操作部
７９            操作杆
８１            引き込み力付加部材
８１１          弾性体
８１２          弾性圧接腕
８１４          回転ローラー
８２            引き込み力受動部材
８２０          上縁面
８２１          引き出し前端凹部
８２２          中央凹部
８２３          引き込み傾斜面
【図１】
0005154870.tif 000002
【図２】
0005154870.tif 000003
【図３】
0005154870.tif 000004
【図４】
0005154870.tif 000005
【図５】
0005154870.tif 000006
【図６】
0005154870.tif 000007
【図７】
0005154870.tif 000008
【図８】
0005154870.tif 000009
【図９】
0005154870.tif 000010
【図１０】
0005154870.tif 000011
【図１１】
0005154870.tif 000012
【図１２】
0005154870.tif 000013
【図１３】
0005154870.tif 000014
【図１４】
0005154870.tif 000015
【図１５】
0005154870.tif 000016
【図１６】
0005154870.tif 000017
【図１７】
0005154870.tif 000018
【図１８】
0005154870.tif 000019